(57)【要約】  本発明は傾斜している屋根や壁等の表面の覆いに使用するタイル（１、５０）で、第１端部（１４、５２）と第２端部（１５、５１）を有する中央部（７，５８）を備える。第１端部はスナップ係合で桟（１９〜２２、６１〜６２）へ配設され、第２端部は隣接するタイルの近接する第１端部で固定され、スナップ係合で近接する桟（１９〜２２、６１〜６２）へ配設される。傾斜している屋根又は壁等の表面を覆うために使用される屋根要素（１１）を開示し、屋根要素（１１）の第１端部はスナップ係合で桟（１９〜２２、６１〜６２）へ配設される。少なくとも１つのタイル（１、５０、２７〜２９、６３〜６４）と屋根要素（１１）を備えているシステムをも開示する。更に、タイル（２７〜２９、６３〜６４）を有する傾斜している屋根又は壁等の表面に関し、タイルは平行かつ間隔をあけた桟（２１、２２、６１、６２）に対し横方向へ配置される。
2008505265.tif 000002
【特許請求の範囲】
【請求項１】
傾斜している屋根や壁のような表面を覆うために使用されるタイル（１、１１、５０）であって、第１端部（１４、５２）と第２端部（１５、５１）を有する中央部（７，５８）を備え、前記第１端部（１４、５２）と前記第２端部（１５、５１）に含まれる係合手段によって前記表面へ配設されるように構成されていることを特徴とするタイル。
【請求項２】
少なくとも前記タイルの前記第１端部の前記係合手段は、桟（１９〜２２、６１〜６２）とのスナップ係合により、前記タイルを配設するように構成されていることを特徴とする請求項１に記載のタイル。
【請求項３】
少なくとも前記第２端部（１５、５１）の前記係合手段は、隣接しているタイルの近接する第１端部で係合することによって前記タイルを配設するように構成されていることを特徴とする請求項１又は２に記載のタイル。
【請求項４】
前記第１端部（１４）は、突出部（５）と、前記突出部（５）へ向かって上方へ延びているつかみ部（４）と、前記突出部（５）と前記つかみ部（４）を相互に接続し実質的には前記中央部（７）に対して垂直である前平板（３）とを備えることを特徴とする請求項１から３のいずれかに記載のタイル。
【請求項５】
前記第１端部（５２）は、前記中央部（５８）に対してそれぞれ垂直と平行である後面板（５５）と上面板（５３）を備え、かつ前記上面板（５３）から前記第２端部（５１）へ向かって延びる突出部（５６）を備えることを特徴とする請求項１から３のいずれかに記載のタイル。
【請求項６】
前記第２端部（１５）は、前記中央部（７）に対して上方及び外側方向へある程度延びており、桟（３２）と隣接している前記突出部（５）との間で後尾部（２）を締め付ける手段によって、隣接しているタイルの近接する前記第１端部に固定されるように構成されていることを特徴とする請求項１から５に記載のタイル。
【請求項７】
前記第２端部（５１）は、前記隣接しているタイルの前記近接している突出部（５６）と係合する手段によって、前記隣接しているタイルの近接する前記第１端部で固定されるように構成されている係合湾曲部（５７）を備えることを特徴とする請求項１から５に記載のタイル。
【請求項８】
前記タイル（１、５０）の材料は高い弾力性を有することを特徴とする請求項１から７のいずれかに記載のタイル。
【請求項９】
前記中央部（７、５８）は実質的に平らな板を備えることを特徴とする請求項１から８のいずれかに記載のタイル。
【請求項１０】
傾斜している屋根又は壁のような表面を覆うために使用される屋根要素（１１）であって、第１端部にある係合手段により前記表面へ配設されるように構成されていることを特徴とする屋根要素（１１）。
【請求項１１】
前記屋根要素は更に、前記屋根要素を配設するための係合手段を前記屋根要素（１１）の第２端部に備え、前記係合手段は隣接している屋根要素（１１）又は隣接しているタイル（５０、２７〜２９、６３〜６４）の近接する第１端部で固定されるように構成されていることを特徴とする請求項１０に記載の屋根要素（１１）。
【請求項１２】
前記屋根要素（１１）の第２端部はスナップ係合により、隣接している桟（１９〜２２、６１〜６２）へ配設されるように構成されていることを特徴とする請求項１０又は１１に記載の屋根要素。
【請求項１３】
少なくとも１つのタイル（１、５０、２７〜２９、６３〜６４）と少なくとも１つの屋根要素（１１）を備え、前記タイルは第１端部（１４、５２）と第２端部（１５、５１）を有する中央部（７、５８）を備え、前記屋根要素（１１）は第１端部又は第２端部又はそれらの組み合わせを備えるシステムであって、前記タイルと前記屋根要素は前記第２端部に含まれる係合手段によって前記表面へ配設されるように構成されていることを特徴とするシステム。
【請求項１４】
前記第１端部はスナップ係合により、桟（１９〜２２、６１〜６２）へ配設されるように構成されていることを特徴とする請求項１３に記載のシステム。
【請求項１５】
前記第２端部（１５、５１）は、隣接しているタイル又は隣接している屋根要素（１１）の近接する第１端部で固定されるように構成されていることを特徴とする請求項１３又は１４に記載のシステム。
【請求項１６】
前記第２端部（１５、５１）はスナップ係合により、隣接している桟（１９〜２２、６１〜６２）へ配設されるように構成されていることを特徴とする請求項１３又は１４に記載のシステム。
【請求項１７】
傾斜している屋根又は壁のような表面であり、前記タイル（２７〜２９、６３〜６４）は第１端部（１４、５２）と第２端部（１５、５１）を備え、平行かつ間隔をあけた桟（２１、２２、６１、６２）に配置され、前記タイル（２７〜２９、６３〜６４）の配置は前記桟（２１、２２、６１、６２）に対して横方向であるものにおいて、前記タイルは前記第１端部（１４、５２）と前記第２端部（１５，５１）にある係合手段によって配置されていることを特徴とする表面。
【請求項１８】
前記タイル（２７〜２９、６３〜６４）は、前記第１端部（１４、５２）と前記桟（２１、２２、６１、６２）との間でのスナップ係合によって配設されることを特徴とする請求項１７に記載の表面。
【請求項１９】
前記第２端部（１５、５１）は隣接しているタイルの近接する前記第１端部で、固定されることを特徴とする請求鏡１７から１８に記載の表面。
【請求項２０】
前記第２端部（１５、５１）はスナップ係合により、隣接している桟（１９〜２２、６１〜６２）へ配設されることを特徴とする請求鏡１７から１８に記載の表面。
【発明の詳細な説明】
【技術分野】
【０００１】
本発明は、傾斜している屋根や壁のような表面を覆うために使用され、第１端部と第２端部を有する中央部を備える瓦ないしはタイル（tile）に関する。更に本発明は、傾斜している屋根や壁のような表面を覆うために使用される屋根を構成する要素にも関する。更に本発明は、少なくとも１つのタイルと少なくとも１つの屋根要素（roof  element）を構成する要素を備えたシステムに関し、前記タイルは第１端部と第２端部を有する中央部を備え、前記屋根要素を構成する要素は第１端部又は第２端部又はこれらの組み合わせを備える。更に本発明は、タイルを備え、傾斜している屋根や壁のような表面に関し、前記タイルは、第１端部と第２端部を有し、平行かつ間隔をあけた桟（batten）に配置され、前記タイルの配列は前記桟に対して横方向である。
【背景技術】
【０００２】
タイルは傾斜している屋根の中でも、屋根の最も外側の層を構築するために使用することは、よく知られている。そのようなタイルを使用するに際し、解決すべきである主に２つの問題がある。第１には、さまざまな気象状況の下で、タイルがガタガタ鳴ったり屋根から落ちるのは避けるべきであり、第２には、屋根上の十分な締め付け力(tightening)が提供されることである。従来技術の方法では、この問題はタイルを桟にしっかりと相互に配設することで満たされている。桟に配設するのは、典型的にはタイルを桟に釘付けにしたり、ねじ釘で取り付けることによりなされ、例えばタイルの留め金を使用することによって個々に互いに桟にしっかり締める。従来技術のタイルの不利な点は、タイルを互いに配置し配設するのに必要とする時間と、タイルを桟に釘付けにし前記留め金を使用することによって、個々にタイルを配設することに伴う複雑性である。
【０００３】
このことは部分的には実用新案ＤＥ２９７１３６８３の中で解決されており、そこでは、ある桟と係合するためのＵ字型の係合手段（engagement  means）と、それによって前記桟へタイルを配設する際の、前記釘付けや締め付けに取って代わる手段を備えた屋根タイルについて詳説している。しかし、この参照は外部の道具から完全に独立して前記タイルを取り付けるために、どのように前記タイルを連続的に上側/下側の層のタイルに配設するかについて説明していない。
【本発明の目的と概要】
【０００４】
それ故に本発明の目的は、使用が非常に簡単であり、タイルを桟に個々に相互に配設する時に、釘や前記留め金や同様の手段を必要としないタイルを供給することである。本発明の他の目的は、傾斜している屋根や壁のような表面を覆うために使用される屋根要素（roof  element）を提供することである。また本発明の他の目的は、前記タイルと前記屋根要素のうち少なくとも１つを備えるシステムを提供することである。更に本発明の他の目的は、前記タイルを備えた傾斜している屋根や壁のような表面を提供することである。
【０００５】
タイルに関する本発明の一態様において、前記タイルは前記第１端部と第２端部に含まれる係合手段によって、前記表面へ配設されるように構成されていることを特徴とする。
【０００６】
それにより、タイルを桟に配設する時、釘やネジ、留め金のような外部の手段は必要ではないため、配設は非常に簡単で単純で早くなされる。
【０００７】
ある実施形態において、前記タイルの第１端部での係合手段は、桟とのスナップ係合(snap  engagement)により前記タイルを配設するように構成されている。
【０００８】
これにより、タイルの取り付けは非常に快適で簡単になり、更には前記桟と前記タイルとの間に強い係合をもたらす。
【０００９】
ある実施形態において、第２端部での係合手段は、隣接している（neighboring）タイルの近接する第１端部での係合により前記タイルを配設するように構成されている。
【００１０】
それにより、隣接しているタイルは、該タイルの第２端部を配設し固定されるための手段を備える。
【００１１】
ある実施形態において、第１端部は突出部(nose  part)と、前記突出部に向かって上方に延びているつかみ部（grip  part）と、前記突出部と前記つかみ部を相互に接続し、実質的には前記中央部に対し垂直である前平板（front  plate）を備える。
【００１２】
タイルを前記第１端部と桟との間の係合により、簡単に桟へ配設することができ、それにより桟は前記突出部と前記つかみ部との間で支えられる。その結果、突出部との間の距離は実質的には桟の厚さと同じであることが好ましい。
【００１３】
ある実施形態において、第１端部はそれぞれ、実質的には上面板（top  plate）から第２端部へ向かって延びる中央部に対しては垂直で突出部に対しては平行である後面板(back  side  plate)と、中央部に対しては平行で突出部に対しては垂直である上面板を備える。
【００１４】
それにより、第１端部と桟との間の係合を可能にするために、空間が作られる。また突出部は隣接しているタイルとの係合手段を備える。
【００１５】
ある実施形態において、第２端部は、中央部に関して上及び外方向へある程度延び、桟と隣接している突出部との間で後尾部ないしはテイル（tail）を締め付ける手段によって、前記隣接しているタイルの近接する前記第１端部でしっかり固定されるように構成されている前記後尾部を備える。
【００１６】
角度ｘは前記後尾部と前記中央部との間で形成されることにより、前記後尾部が前記桟と前記隣接している突出部との間で固定される時に、タイルの連続部分は隣接している板に関して上方向へある程度延びるであろう。このことは、タイルを隣接している桟の方へ押圧している時に生じる弾性力（elastic  force）が、つかみ部と桟の下面との間で上方への伸張力（extending  force）を供給するため、スナップ係合特性にとっては重要である。後尾部は、最初の板の片端の少なくとも一部分を前記上方向へ曲げることにより形成され、又はタイルと中央部は、コイルばね（spring  coil）等のばね方式（spring  system）によって相互接続される２つの別体のユニットでもよい。前の事例において弾性力は、角度ｘ、板の厚さ、タイルの素材のタイプやこれらの組み合わせを変化することによって変えることができる。
【００１７】
この事例において、タイルの素材が非常に優位なことにより、タイルが弾性的な特性や高張力を有することが重要である。後者の事例において弾性力は、角度ｘ、ばね定数やその両方の組み合わせを変化することにより変えることができる。タイルに使用することができる素材の例は、アルミニウム、銅、合金（metal  alloys）や合成素材（composite  materials）のような、何らかの種類の金属である。又、さまざまなタイプのプラスチック素材やそれに似たものでも可能である。
【００１８】
ある実施形態において第２端部は、前記隣接しているタイルの隣接している突出部との係合手段によって、前記隣接しているタイルの近接する第１端部で固定されるように構成されている係合湾曲部（engagement  crook）を備える。
【００１９】
それにより、前記第２端部は前記隣接しているタイルの前記近接する第１端部へ強力に固定される。更に、隣接しているタイル間の係合は非常に簡単でしっかりする。
【００２０】
ある実施形態において、前記タイルの材料は高い弾性力を有する。このように高い弾性力は、前記特徴的なスナップ係合を得る本発明にとって好適である。タイルの材料の特性は、弾性的な特性と高張力(high  strength)を有することが重要である。そのような特性を有する材料の例えとしては、アルミニウム、銅、合金や合成素材と、さまざまなタイプのプラスチック素材やプラスチックアロイ(plastic  alloy)である。
【００２１】
ある実施形態において、中央部は十分に平らな板を備える。
【００２２】
それにより、複数のタイルを互いに配置する時の実質的には平らな屋根の構造が、例えば屋根上の雪や氷の発生を妨げたり減らすことをもたらす。もちろん、中央部は波のような形状のようにさまざまな形状を有することが可能である。
【００２３】
他の態様において、本発明は屋根要素に関して、該屋根要素は第１端部に含まれる係合手段によって、前記表面に配設されるように構成されていることを特徴とする。
【００２４】
それにより、このような屋根要素を使用する屋根の構造は単純で簡単で非常にしっかりする。屋根要素は例えば、屋根や雨どい（gutter）を備えることができる。以前の事例では、屋根要素は屋根のそれぞれの側に２つの第１端部を有し、それらは２つの桟へ配設され、同時に前記タイルの最上の行の後尾部へ固定するように構成されている。本事例において屋根要素は１つの突出部を備え、該突出部は実質的に前記タイルの突出部と同じ形状を有し、前記突出部と前記桟との間で最上列のタイルの後尾部を締め付けるように構成されている。屋根要素は又、例えば屋根に組み込まれた窓の周りを囲んでいる枠組みを備える。
【００２５】
そのような屋根要素にとって、枠組みの上部と下部は好ましくは、枠組みの上側と下側に配列されたタイルを係合するために第１端部と第２端部を備える。それにより、屋根要素は相互接続のために前記タイルを備える。
【００２６】
ある実施形態において、前記屋根要素は更に前記屋根要素を配設するために、前記屋根要素の第２端部での係合手段を備え、該係合手段は隣接している屋根要素又は隣接しているタイルの近接する第１端部で固定されるように構成されている。
【００２７】
それにより、屋根要素の第２端部を配設又は固定する手段を備え、例えば釘、ネジ、留め金や同様のものは必要ではない。
【００２８】
ある実施形態において、前記屋根要素の第２端部はスナップ係合により、隣接している桟へ配設されるように構成されている。
【００２９】
これは前記第２端部と前記桟との間の強い係合を提供する。また十分な配設をするための釘、ネジ、留め金や同様の外部の道具は必要としない。
【００３０】
第３の態様において、本発明はあるシステムに関し、該システムは前記タイルと前記屋根要素が前記第１端部に含まれる係合手段により、前記表面へ配設されるように構成されていることを特徴とする。
【００３１】
それにより、傾斜している屋根の上部の層を組み立てるときに、さまざまな範囲がタイルと相互接続されるであろう。例えば、屋根（roof  top）、屋根の連続部分（subsequent  part）、窓を囲み屋根を囲む枠組み、雨どいや屋根の連続部分である。
【００３２】
ある実施形態において、前記第１端部はスナップ係合により、桟へ配設されるように構成されている。
【００３３】
ある実施形態において、第２端部は隣接しているタイル又は隣接している屋根要素の近接する第１端部で固定されるように構成されている。
【００３４】
ある実施形態において、第２端部はスナップ係合により、隣接している桟へ配設されるように構成されている。
【００３５】
第４の態様において、本発明は傾斜している屋根や壁のようなタイルを備えた表面に関し、該タイルは、前記第１端部と第２端部に含まれる係合手段により配設されることを特徴とする。
【００３６】
それにより、例えば最も外側の層を組み立てる時に、桟へタイルを配設するために締め付け手段を必要としない。結果として屋根の最も外側の構造は非常にしっかりとし簡易である。タイルは前述したタイプが好ましい。
【００３７】
ある実施形態において、前記タイルは第１端部と桟との間のスナップ係合により配設される。
【００３８】
ある実施形態において、第２端部は隣接しているタイルの近接する第１端部で固定されている。
【００３９】
それにより、屋根要素の第２端部を配設又は固定する手段が提供され、例えば釘、ネジ、留め金又は同様のものは必要ない。
【００４０】
ある実施形態において、第２端部はスナップ係合により、隣接している桟へ配設される。
【００４１】
それにより、釘、ネジ、留め金又は同様のものが無いことを除いて、配設は十分になされる。
【００４２】
以下で、本発明及びそれについて特に好適な実施形態を、添付図面に関連してより詳細に説明する。
【発明を実施するための最良の形態】
【００４３】
図１から３は、傾斜している屋根や壁のような表面を覆うために使用されるべきタイル１の１つの実施形態にかかる斜視図、側面図と正面図を示す。タイル１は中央部７を備え、中央部７は長さｌ１３と幅ｗ１２である実質上の平板と、この平板７の幅１２に沿って延びている第１端部１４と第２端部１５を備えている。図示のように第２端部１５は、平板７に対して上方向へある程度延びている後尾部２を備え、平板７に対して角度ｘ３３を形成する。第１端部１４は桟（図示せず）と係合するように構成され、突出部５と、上方へ延びているつかみ部４と、前記突出部５と前記つかみ部４を相互に接続するために平板７と実質的に垂直である前平板３を備える。
【００４４】
他のいかなる種類の第２端部の形状も、もちろん可能である。１つの実施形態においては、第１端部と中央部は実質的には平板（図示せず）を形成しており、第１端部は中央部を伸張したものと見なすことができる。
【００４５】
タイル１は、正確な加工機械を使用することによって、単一の長方形の板から形成することができる。しかし、いかなる種類の平板形状でも可能である。第２端部１５、すなわち後尾部２を形成する際には、平板の一端の少なくとも一部が前記角度ｘ３３を形成するまで、上方へ曲げられる。第１端部１４を形成するとき、平板７は最初に（後尾部２との比較において）下方へ曲げられ、突出部５を形成するために第２端部１５の方向へ向かい、その後に下方へ向かい、前平板３を形成するために実質的に平板７に対して垂直となり、最終的には上方であって、つかみ部４を形成するために突出部５の方向へ向かう。しかし、第１端部と第２端部と中央部を含む別体の部品から、前記タイル１を形成することも可能である。これらの部品は、例えばコイルばねのようなばね方式で、相互に接続されるであろう。
【００４６】
図１と図３で図示されるように、つかみ部４と前平板４は、複数の曲げられるフラップ６を形成するために、平行な細長い切れ目が入れられている。これは、他の桟と交差している桟（図示せず）へ、タイル１をはめ込む際に必要である。覆われる表面の型式によって、フラップの幅と、隣接しているフラップ間の距離と、フラップの数は、もちろん変えることができる。これは、図９の中でより詳細に説明する。
【００４７】
図４は、２つの平行する桟３２と１８の間に設置された２つの隣り合うタイル１、８を図示する。図示するように、隣り合うタイル８の後尾部１７は、桟３２と突出部５の間で締め付けられている。後尾部１７が、ある程度上方へ延び、板７に対して前記角度ｘ３３を形成しているので、タイル８の後尾部１７に続く部分は前述の締め付けによって、桟３２の上面に対して実質的に同じ角度ｘ３３に基づく上方向へ延びる。タイル８の桟１８との係合は、矢印３０によって示されるように、つかみ部３４が桟１８の下面に達するまで、タイル８を桟１８へ向かって下向きに押圧することで成される。この押圧の結果として生じる矢印３０とは反対方向の弾性力により、つかみ部３４と桟１８との間の強固な係合が確実となる。このことは図５の中でより明確に図示されており、隣接しているタイル８が、前記桟１８と係合している箇所を図示している。明らかに、桟１８の側面を横切ったときに、桟１８の下面に達するためには、つかみ部３４は、上方へ曲げられていなければならない。側面を横切った後、つかみ部３４は元の位置へめくり上がり、図示のように桟１８の底面にひっかかる。それ故、タイル８（又は、少なくともつかみ部３４）の素材は、十分に弾力性があることが非常に重要である。従って、外側に位置するつかみ部３４の端部と、突出部３７との間の距離は実質上、桟１８の高さと同じ又は多少長いことが好ましい。前記押圧を開放することにより、弾性力が開放され、タイル８のつかみ部３４は、矢印１６で示される上方向への弾性力に対応する力により圧入される。これによってスナップ係合がなされる
【００４８】
この弾性力及びそれによるスナップ係合の強さは次の要因を変化することによって、制御することができる。つまりは、後尾部１７と平板３５との間の角度ｘ３３、材料の厚さ、タイルの材料のタイプ又はこれらの組み合わせである。タイルの材料の特性は、弾性的な特性と高張力を有することが重要である。使用できる材料の例としては、アルミニウム、銅、合金や合成素材のような、何らかの種類の金属がある。又、さまざまなタイプのプラスチック素材等でも可能である。
【００４９】
後尾部１７が中央部７と同じ平面にあり、中央部の伸張部分を形成する実施形態の場合、ゴム製のリスト（rubber  list、図示せず）又は同様の手段を、後尾部１７と突出部３７の間に設けることで、それらの間は十分に締め付けられる。
【００５０】
図６は図４中で図示された、前記隣接しているタイル８とタイル１の係合の詳細図を図示する。ここで、隣接しているタイル８の後尾部１７は、桟７と突出部５の間で固定されている。
【００５１】
図７は、屋根の上の２つの平行する桟１９、２０の間に張られているタイル１の側面図を図示する。ここでは、タイル１の開口端が屋根１１と上部の桟２０の間で締め付けられており、第１端部１４は雨どい１８の近接する下部の桟１９に配設されている。屋根１１と雨どい１８の間のこのような係合を可能とするためには、タイル１の第２端部１５が屋根１１と係合できるような前記第１端部と同様の端部を有するシステムないしはユニットを屋根１１が備えることが好ましい。雨どい１８は同様に、タイル１の第１端部を受け入れるように構成されたシステム又はユニットを備えるであろう。
【００５２】
一般に、第１端部又は第２端部又はこれらの組み合わせを備えているタイル１と係合するように構成された屋根要素は、タイルとの相互接続のために使用できる。この屋根要素は例えば、前記屋根１１と、雨どい１８と、屋根や棟等へ組み込まれた窓を囲む枠組みを備えるであろう。そのようなシステムにおいて、枠組みの上部分は該上部分の上側に配置されたタイルと係合するための第２端部と、該下部分の下側に配置されたタイルと係合するための第１端部を備えることが好ましい。
【００５３】
図８は、平行に配置された桟２１、２２の間に配設された複数のタイル２７〜２９を備える傾斜している屋根８０の一部を図示する。２枚のタイルと桟２１、２２の間の係合部３１、３２が図示されている。タイル２７〜２９は、それらが桟２１、２２と平行及び垂直の２方向でお互いに重なり合うように配置されるのが好ましい。これによりもちろん、屋根の上での十分な締め付け力が確保される。桟２１、２２へのタイル２７から２９の配設は、雨どい２４に近い最下列から始め、続いてタイルの２列目を第２の桟２２に配設し、矢印３８により示される上方向へ続けることでなされる。他の方法も可能であり、例えば最上列から始め、矢印３８とは反対方向の下方向へ続けることである。
【００５４】
前記平行な桟２１、２２に対し垂直である桟２５は、もちろん屋根の支持力のために必要である。前記桟２５と前記桟２１、２２の交差位置でタイルを桟２１〜２４に、配設するとき、折り曲げ可能なフラップ６を図１、３で図示されるように、隙間を桟２５の幅へ対応する係合溝に形成するために曲げられたり取り除いてもよい。この例は２つのフラップ４１、４２を図示している図９の中で描かれており、フラップ４１、４２は例えば前記桟２２と桟２５の交差位置で、タイルが桟２２と係合できるように上方へ曲げられている。
【００５５】
図１０はタイル５０の他の実施形態の斜視図を示し、タイル５０は傾斜している屋根又は壁のような表面を覆うために使用される。タイル５０は、長さｌ６７と幅ｗ６８で第１端部５２と第２端部５１を有する実質上の平板５８を備え、第１端部５２と第２端部５１はともに平板５８の幅６８に沿って延びている。図示のように第２端部５１は、係合湾曲部５７を形成するために、平板の幅に沿って内側に曲げられた部分を備える。第１端部５２は後面板５５と上面板５３を備え、後面板５５と上面板５３はそれぞれ平板５８及び第２端部５１に向けて延びる突出部５６に対して垂直と平行である。これによって桟と係合するのに適した隙間７０が形成される。突出部５６は隣り合う板の係合湾曲部と係合するように構成されている。このことは、突出部５６と係合されようとしている隣接する板の係合湾曲部５９を図示する図１１中に示されている。また図１１の中で図示されるように、第１端部５２がスナップ係合により桟６０と係合している。このような係合を可能とするために、タイル５０の材料は弾性的な特性と同時に高張力を有することが、明らかに重要である。使用できる材料の例えとしては、アルミニウム、銅や合成素材のような、何らかの種類の金属である。又、さまざまなタイプのプラスチック素材等でもよい。
【００５６】
図１２は、平行に配置された桟６１、６２の間に配設された図１０〜１１に図示されているようなタイル６３〜６５を複数備えた傾斜している屋根９０の一部を図示する。２つのタイルと桟６１、６２との間の係合部７１、７２が図示されている。例えばタイル６３〜６５の配置は、それらが桟６１、６２と平行及び垂直の２方向で、お互いに重なり合うように配置されるのが好ましい。これによりもちろん、屋根に対する十分な締め付け力が確保される。タイルを配設するときには、最上端で、タイルを屋根の頂上に近い桟６１へ配設することから始め、次にタイルの２列目を隣接している桟６２へ配設し、同じ方法で矢印６７により示される下方向へ続けることが重要である。他の方法も又、可能である。前記タイルと、交差している桟６６との間の交差位置でタイル６３から６５の配設を可能とするためには、第１端部の後面板５５は、複数の曲げられるフラップ（図示せず）を形成するために、平行な細長い切れ目（図示せず）が入れられる。１以上のこれらのフラップを曲げたり取り除くことにより（図９内で図示されるのと同様）交差位置での係合が可能である。
【００５７】
図１３では中央部１０７と、２つの桟と係合するように構成された第１端部１０８と第２端部１０９とを備えるタイル１００の他の実施形態を図示する。前記端部の固定具１０１、１０２は、実質的には前記中央部１０７から垂直に上方へ延び、中央部１７と共に桟との係合のために溝（図１４参照）を画定する。タイル１００が桟と係合する一方で、固定具１０１、１０２の両外側で桟を押圧するために、固定具１０１、１０２は矢印１０３、１０４により示されるように互いの方向へ曲げられる。続いて、固定具１０１、１０２は最初の位置へ押し戻される。よってスナップ係合がなされる。実際のタイル１００と２つの平行する桟の係合は図１４の中で図示され、タイル１００と係合している２つの平行する桟１０５，１０６が図示されている。図示のように桟は中央部と、固定具１０１、１０２の外側への伸張部１００の間で支えられている。
【００５８】
上記の実施形態は、本発明を制限することなく図示し、当業者は添付の特許請求の範囲から離れずに他の代案の実施形態を設計し得る、ということに気付くべきである。特許請求の範囲の中で、括弧書きの中に記載されたいかなる参照番号も特許請求の範囲を制限するものと解釈するべきではない。”備える（comprising）”の言葉は、他の要素や段階があることを除外するのではなく、特許請求の範囲の中でそれらが列挙されただけである。
【図面の簡単な説明】
【００５９】
【図１】タイルの１つの実施形態における斜視図を示す。
【図２】タイルの１つの実施形態における側面図を示す。
【図３】タイルの１つの実施形態における正面図を示す。
【図４】２つの平行する桟の間で、共に配設された２つの隣接しているタイルを図示する。
【図５】桟と係合している隣接しているタイルを図示する。
【図６】２つの隣接しているタイル間の係合状態の詳細図を示す。
【図７】屋根上の２つの平行する桟の間で張っているタイルの側面図を示す。
【図８】平行に配列された桟の間に配設された複数のタイルを有し、傾斜している屋根の一部分を図示する。
【図９】タイルが桟と係合できるように、上方へ曲げられているタイルの２つのフラップを図示する。
【図１０】傾斜している屋根に使用されるタイルの他の実施形態の斜視図を示す。
【図１１】スナップ係合により桟と係合している図１０中で図示されたタイルの第１端部を図示する。
【図１２】平行に配列された桟の間に配置され、図１０中に図示するような複数のタイルを有し傾斜している屋根の一部分を図示する。
【図１３】中央部と、第１端部と、第２端部を備えたタイルの他の実施形態を図示する。
【図１４】図１３中で図示されるタイルと係合している２つの平行する桟を図示する。
【符号の説明】
【００６０】
１  タイル
２  後尾部
３  前平板
４  つかみ部
５  突出部
７  中央部
１１  屋根
１４、５２  第１端部
１５、５１  第２端部
１９  下部桟
２０  上部桟
２１、２２、３２、６１、６２  桟
２７、２８、２９、５０、６３、６４  タイル
５３  上面板
５５  後面板
５６  突出部
５７  係合湾曲部
５８  平板
【図１】
2008505265.tif 000003
【図２】
2008505265.tif 000004
【図３】
2008505265.tif 000005
【図４】
2008505265.tif 000006
【図５】
2008505265.tif 000007
【図６】
2008505265.tif 000008
【図７】
2008505265.tif 000009
【図８】
2008505265.tif 000010
【図９】
2008505265.tif 000011
【図１０】
2008505265.tif 000012
【図１１】
2008505265.tif 000013
【図１２】
2008505265.tif 000014
【図１３】
2008505265.tif 000015
【図１４】
2008505265.tif 000016
【国際調査報告】
2008505265.tif 000017
2008505265.tif 000018
2008505265.tif 000019